(57)【要約】【課題】浴室に隣接する空間を除湿する。【解決手段】除湿装置１００は、取得部１０１と、風路１０ｄと、送風部１０ｂと、加熱部１０３と、除湿部１０４と、制御部１０２と、を備える。取得部１０１は、浴室の使用の有無と浴室の扉の開閉とを示す情報を取得する。風路１０ｄは、扉を介して浴室に隣接する空間に配置される吸込口と吹出口とを有する。送風部１０ｂは、風路１０ｄに空気を送風する。加熱部１０３は、風路１０ｄに流入した空気を加熱する。除湿部１０４は、風路１０ｄにおいて加熱部１０３と吹出口との間に配置され、空気に含まれる水分を吸着することで除湿する。制御部１０２は、取得部１０１によって、浴室が使用されて扉が開けられたことを示す情報が取得されると、送風部１０ｂを制御して、送風部１０ｂに空気を送風させる。【選択図】図２
2017219258.tif 000002
【特許請求の範囲】
【請求項１】
浴室の使用の有無と前記浴室の扉の開閉とを示す情報を取得する取得手段と、
前記扉を介して前記浴室に隣接する空間に配置される吸込口と吹出口とを有する風路と、
前記風路に空気を送風する送風手段と、
前記風路に流入した空気を加熱する加熱手段と、
前記風路において前記加熱手段と前記吹出口との間に配置され、空気に含まれる水分を吸着することで除湿する除湿手段と、
前記取得手段によって、前記浴室が使用されて前記扉が開けられたことを示す情報が取得されると、前記送風手段を制御して、前記送風手段に空気を送風させる制御手段と、
を備える除湿装置。
【請求項２】
前記制御手段は、前記取得手段によって、前記浴室が使用されて前記扉が開けられたことを示す情報が取得されると、前記送風手段と前記加熱手段の加熱量とを制御して、前記送風手段に空気を送風させて前記除湿手段に水分を吸着させる除湿モードの運転を実行し、該除湿モードの運転の後に、前記加熱手段の加熱量を前記除湿モードにおける加熱量より大きくして前記除湿手段から水分を脱着する脱着モードの運転を実行する、
請求項１に記載の除湿装置。
【請求項３】
前記制御手段は、前記送風手段と前記加熱手段の加熱量とを制御して、前記加熱手段によって加熱された空気を前記送風手段に送風させる暖房モードの運転を実行し、前記取得手段によって、前記浴室が使用されて前記扉が開けられたことを示す情報が取得されると、前記除湿モードの運転を実行し、該除湿モードの運転の後に前記脱着モードの運転を実行する、
請求項２に記載の除湿装置。
【請求項４】
前記制御手段は、前記除湿モードの運転を実行する際に、前記加熱手段に空気を加熱させない、
請求項２又は３に記載の除湿装置。
【請求項５】
前記制御手段は、前記除湿モードの運転を実行する際に、前記浴室に設置された排気手段を制御して、該排気手段に前記浴室の空気を排気させる、
請求項２から４のいずれか一項に記載の除湿装置。
【請求項６】
前記取得手段は、前記浴室に設置された照明の点灯の有無を示す情報を、前記浴室の使用の有無を示す情報として取得する、
請求項１から５のいずれか一項に記載の除湿装置。
【請求項７】
前記取得手段は、前記浴室での湯の使用の有無を、前記浴室の使用の有無を示す情報として取得し、
前記制御手段は、前記浴室で湯が使用されてから経過した時間の長さが閾値より短いときに、前記送風手段を制御する、
請求項１から６のいずれか一項に記載の除湿装置。
【請求項８】
前記吸込口は、前記扉の上方に設置され、
前記吹出口は、前記空間の壁又は窓に向かって空気を吹き出す、
請求項１から７のいずれか一項に記載の除湿装置。
【請求項９】
浴室の使用の有無と前記浴室の扉の開閉とを示す情報を取得する取得ステップと、
前記取得ステップにおいて、前記浴室が使用されて前記扉が開けられたことを示す情報が取得されると、送風手段を制御して、該送風手段に、前記扉を介して前記浴室に隣接する空間に配置された吸込口及び吹出口と、前記吸込口から流入した空気を加熱する加熱手段と、前記加熱手段と前記吹出口との間に配置され、空気に含まれる水分を吸着することで除湿する除湿手段と、を有する風路に空気を送風させる制御ステップと、
を含む除湿方法。
【請求項１０】
コンピュータを、
浴室の使用の有無と前記浴室の扉の開閉とを示す情報を取得する取得手段、
前記取得手段によって、前記浴室が使用されて前記扉が開けられたことを示す情報が取得されると、送風手段を制御して、該送風手段に、前記扉を介して前記浴室に隣接する空間に配置された吸込口及び吹出口と、前記吸込口から流入した空気を加熱する加熱手段と、前記加熱手段と前記吹出口との間に配置され、空気に含まれる水分を吸着することで除湿する除湿手段と、を有する風路に空気を送風させる制御手段、
として機能させるためのプログラム。
【発明の詳細な説明】
【技術分野】
【０００１】
本発明は、除湿装置、除湿方法及びプログラムに関する。
【背景技術】
【０００２】
近年、冬期におけるユーザの快適性を向上させるために、浴室に隣接する脱衣所、洗面所、サニタリエリア等の空間に暖房装置が設置されるケースが増えている。この空間では、浴室からの湯気の流入に代表されるように、湿気が発生する要因が多い。このため、住宅の断熱性能が一般に高くなってはいるものの、浴室に隣接する空間では、特に冬期において、低温の壁面に結露が生じたり結露によるカビが発生したりすることがある。
【０００３】
そこで、エアカーテンに類する風によって、浴室内の空気が浴室に隣接する空間に侵入することを防止する技術が提案されている（例えば、特許文献１を参照）。
【先行技術文献】
【特許文献】
【０００４】
【特許文献１】特開２００７−１５５２２７号公報
【発明の概要】
【発明が解決しようとする課題】
【０００５】
しかしながら、特許文献１に記載の技術では、浴室内から浴室外へ空気がまったく流出しないようにすることが困難である。また、入浴後に洗面台で使用される湯、及び、入浴を終えて浴室から出た人体からも、湿気は発生し得る。結果として、浴室に隣接する空間における空気の湿度が高くなるおそれがある。
【０００６】
本発明は、上述の事情の下になされたもので、浴室に隣接する空間を除湿することを目的とする。
【課題を解決するための手段】
【０００７】
上記目的を達成するため、本発明の除湿装置は、浴室の使用の有無と浴室の扉の開閉とを示す情報を取得する取得手段と、扉を介して浴室に隣接する空間に配置される吸込口と吹出口とを有する風路と、風路に空気を送風する送風手段と、風路に流入した空気を加熱する加熱手段と、風路において加熱手段と吹出口との間に配置され、空気に含まれる水分を吸着することで除湿する除湿手段と、取得手段によって、浴室が使用されて扉が開けられたことを示す情報が取得されると、送風手段を制御して、送風手段に空気を送風させる制御手段と、を備える。
【発明の効果】
【０００８】
本発明によれば、浴室に隣接する空間を除湿することができる。
【図面の簡単な説明】
【０００９】
【図１】除湿システムの構成を示す模式図である。
【図２】除湿装置の構成を示すブロック図である。
【図３】除湿装置によって冬期に実行される一連の処理を示すフロー図である。
【図４】暖房モードの運転において実行される処理を示すフロー図である。
【図５】除湿モードの運転において実行される処理を示すフロー図である。
【図６】脱着モードの運転において実行される処理を示すフロー図である。
【図７】除湿装置によって中間期に実行される一連の処理を示すフロー図である。
【発明を実施するための形態】
【００１０】
実施の形態１．
以下、本発明の実施の形態について図面を参照しつつ説明する。なお、図中同一または相当部分には同一符号を付す。
【００１１】
図１には、除湿システム１０００の概略が示されている。除湿システム１０００は、浴室２００に扉４０を介して隣接する空間３００における空気を除湿するシステムである。なお、図１において、太い実線は壁を示し、破線は信号線を示し、白抜きの矢印は風が流れる向きを示す。
【００１２】
浴室２００は、住宅又は宿泊施設等の建物に設けられた入浴のための空間である。浴室２００には、排気装置２０ｂの吸込口２０ｉと、浴室２００内を明るくするための照明装置２１ａ，２１ｂと、が設置されている。
【００１３】
排気装置２０ｂは、多翼送風機、又はターボファン等の送風機である。排気装置２０ｂは、制御部１０２から信号線を介して受信した制御信号に従って、吸込口２０ｉから浴室２００内の空気を吸い込んで、吸い込んだ空気を、排気ダクト２０ｄを介して屋外に排出する。排気装置２０ｂは、浴室２００に生じた高温高湿の空気を排気するために用いられる。
【００１４】
照明装置２１ａ，２１ｂは、浴室２００の天井又は壁に配置される。照明装置２１ａ，２１ｂは、信号線に接続され、この信号線を介して制御部１０２から受信した制御信号に従って点灯又は消灯する。なお、以下では、照明装置２１ａ，２１ｂを総称して照明装置２１と表記する（図２参照）。
【００１５】
また、浴室２００には、給湯機から給湯配管２２を介して湯が供給される。給湯配管２２には、給湯量を測定するセンサ５１が取り付けられている。センサ５１による測定結果は、浴室２００での湯の使用の有無を示す情報として、取得部１０１へ送信される。
【００１６】
空間３００は、脱衣所、洗面所、又はサニタリエリア等の空間である。空間３００は、扉４０によって浴室２００と仕切られる。また、空間３００は、扉４１によって他の空間と仕切られる。本実施の形態に係る空間３００は、窓３０ｗを有しているが、これには限られず、窓３０ｗを有しない部屋を空間３００としてもよい。
【００１７】
空間３００には、扉４０の開閉状態を検知するセンサ５２と、空間３００の室温を測定するセンサ５３と、空間３００の空気を除湿する除湿装置１００と、が設置される。
【００１８】
センサ５２は、扉４０が閉じたときにＯＮ状態になり、扉４０が開いたときにＯＦＦ状態になるスイッチを含んで構成される。センサ５２は、検知した扉４０の開閉状態を示す情報を取得部１０１に送信する。また、センサ５３は、室温の測定結果を示す情報を取得部１０１に送信する。
【００１９】
除湿装置１００は、除湿機能に加えて暖房機能を有する空調装置である。除湿装置１００は、図２に示されるように、センサ５１−５３から情報を取得する取得部１０１と、取得部１０１によって取得された情報に基づく制御を実行する制御部１０２と、空気を送風する送風部１０ｂと、空気を加熱する加熱部１０３と、空気に含まれる水分を吸着することで除湿する除湿部１０４と、を有している。
【００２０】
取得部１０１は、センサ５１−５３から送信される信号を受信する通信インタフェース回路と、除湿装置１００のユーザによって入力される情報を取得するユーザインタフェースと、を含んで構成される。ユーザによって入力される情報には、除湿装置１００の運転開始の指示、照明装置２１の点灯又は消灯の指示、排気装置２０ｂの運転の開始又は停止の指示、及び、空間３００の設定温度が含まれる。この設定温度は、除湿装置１００の暖房運転が実行されるときにおける空間３００の目標温度を意味する。取得部１０１によって取得された情報は、制御部１０２に通知される。
【００２１】
制御部１０２は、マイクロプロセッサ、ＲＡＭ（Random Access Memory）、及びＥＥＰＲＯＭ（Electrically Erasable Programmable Read-Only Memory）に代表される記憶装置を含んで構成される。制御部１０２を構成するマイクロプロセッサが、記憶装置に記憶されるプログラムＰ１を実行することにより、制御部１０２は、種々の機能を発揮する。すなわち、制御部１０２は、取得部１０１から得た情報に基づいて制御信号を送信することにより、排気装置２０ｂ、照明装置２１、送風部１０ｂ、及び加熱部１０３を制御する。
【００２２】
なお、本実施の形態に係る除湿装置１００は、排気装置２０ｂ及び照明装置２１をユーザが操作するための端末として機能する。すなわち、取得部１０１が、照明装置２１を点灯若しくは消灯するためのユーザからの指示、又は、排気装置２０ｂの運転を開始若しくは停止するためのユーザからの指示を取得した場合には、制御部１０２は、これらの指示に従って排気装置２０ｂ及び照明装置２１を制御する。
【００２３】
また、除湿装置１００は、図１に示されるように、空間３００に配置される吸込口１０ｉと吹出口１０ｓとを有する風路１０ｄを有している。送風部１０ｂ、加熱部１０３、及び除湿部１０４は、この順で風路１０ｄ内に上流側から配置される。すなわち、送風部１０ｂは、吸込口１０ｉから吸い込んだ空気を加熱部１０３に送風し、除湿部１０４は、加熱部１０３と吹出口１０ｓとの間に配置される。
【００２４】
また、風路１０ｄの吸込口１０ｉは、浴室２００から空間３００に流入した高温高湿の空気が吸い込まれるように扉４０の鉛直上方に配置される。風路１０ｄの吹出口１０ｓは、空間３００において結露が比較的生じやすい壁又は窓３０ｗに向かって空気を吹き出すための風向板を含んで構成される。
【００２５】
送風部１０ｂは、多翼送風機、又はターボファン等の送風機である。送風部１０ｂが空気を送風することにより、風路１０ｄを通る気流が発生する。送風部１０ｂの送風の有無及び風量は、制御部１０２から送信される制御信号に従う。
【００２６】
加熱部１０３は、空気を加熱するためのヒータを含んで構成される。本実施の形態に係る加熱部１０３のヒータは、電気ヒータであるが、これには限られず、ヒータとして、ガスヒータ、又はヒートポンプ装置を用いてもよい。加熱部１０３の加熱の有無及び加熱量は、制御部１０２から送信される制御信号に従う。
【００２７】
除湿部１０４は、常温で水分を吸着し、高温で水分を脱着するデシカント材を含んで構成される。このデシカント材としては、例えば、ゼオライト、シリカゲル、高分子吸着剤が用いられる。
【００２８】
続いて、除湿装置１００によって実行される一連の処理について、図３−６を参照して説明する。図３に示される処理は、冬期においてユーザが浴室２００を使用する前に除湿装置１００に運転開始を指示することで開始する。
【００２９】
まず、制御部１０２は、送風部１０ｂに空気を送風させる（ステップＳ１）。以後、送風部１０ｂの風量は一定に保たれる。
【００３０】
次に、取得部１０１は、センサ５１−５３から情報を取得するとともに、ユーザによって入力された情報を取得する（ステップＳ２）。具体的には、取得部１０１は、ユーザによって指示された照明装置２１の点灯の有無を示す情報と、センサ５１から送信される湯の使用の有無を示す情報とを、浴室２００の使用の有無を示す情報として取得する。また、取得部１０１は、センサ５２によって検知された扉４０の開閉状態を示す情報を取得する。また、取得部１０１は、ユーザによって入力された設定温度と、センサ５３によって測定された室温と、を取得する。
【００３１】
次に、制御部１０２は、浴室２００の扉４０が開いているか否かを判定する（ステップＳ３）。具体的には、制御部１０２は、ステップＳ２においてセンサ５２から取得した情報が、扉４０が開放状態にあることを示しているか否かを判定する。
【００３２】
扉４０が開いていると判定した場合（ステップＳ３；Ｙｅｓ）、制御部１０２は、浴室２００が使用されているか否かを判定する（ステップＳ４）。具体的には、制御部１０２は、ステップＳ２において取得した情報が、照明装置２１が点灯していることを示し、かつ、湯を最後に使用してから経過した時間の長さが閾値より短いか否かを判定する。この閾値は、本実施の形態では３０分間であるが、これには限られず任意である。このため、浴室２００でユーザが湯を使用している最中、及び、ユーザが入浴を終了した直後にも、ステップＳ４の判定が肯定されることとなる。
【００３３】
ステップＳ３にて浴室の扉が開けられていないと判定した場合（ステップＳ３；Ｎｏ）、又は、ステップＳ４にて浴室２００が使用されていないと判定した場合（ステップＳ４；Ｎｏ）、制御部１０２は、浴室２００から空間３００への高湿空気が流入しないと判断して、暖房モードの運転を実行する（ステップＳ５）。
【００３４】
この暖房モードの運転について、図４を用いて説明する。暖房モードの運転は、制御部１０２が、加熱部１０３によって加熱された空気を送風部１０ｂに送風させる運転である。
【００３５】
暖房モードの運転において、制御部１０２は、室温が設定温度より低いか否かを判定する（ステップＳ５１）。具体的には、制御部１０２は、ステップＳ２（図３参照）にて取得した室温と設定温度とを比較する。
【００３６】
室温が設定温度より低いと判定した場合（ステップＳ５１；Ｙｅｓ）、制御部１０２は、加熱部１０３に通電して空気を加熱させる（ステップＳ５２）。これにより、空間３００の室温が、設定温度に近づくこととなる。その後、制御部１０２によって実行される処理は、暖房モードの運転から図３に示される処理に戻る。
【００３７】
一方、室温が設定温度より低くないと判定した場合（ステップＳ５１；Ｎｏ）、制御部１０２は、加熱部１０３に通電せずに空気を加熱させない（ステップＳ５３）。これにより、空間３００の室温が、設定温度に近づくこととなる。その後、制御部１０２によって実行される処理は、暖房モードの運転から図３に示される処理に戻る。
【００３８】
図３に戻り、暖房モードの運転（ステップＳ５）が終了すると、制御部１０２は、再度、情報を取得して（ステップＳ２）、ステップＳ３，Ｓ４の判定を繰り返す。これにより、ステップＳ３，Ｓ４双方の判定が肯定されるまで、暖房モードの運転が繰り返し実行される。その結果、空間３００の室温は、設定温度の近傍に保たれることとなる。
【００３９】
また、暖房モードの運転では、加熱部１０３によって加熱された空気が除湿部１０４を介して空間３００に送風されるため、除湿部１０４が加熱されることで除湿部１０４から水分が脱着する。このため、後述の除湿モードの運転のために必要な除湿部１０４の吸着性能を十分に確保することができる。
【００４０】
ステップＳ４にて浴室２００が使用されていると判定された場合（ステップＳ４；Ｙｅｓ）、制御部１０２は、浴室２００から空間３００に高湿空気が流入していると判断して、除湿モードの運転を実行する（ステップＳ６）。
【００４１】
この除湿モードの運転について、図５を用いて説明する。除湿モードの運転は、制御部１０２が、送風部１０ｂに空気を送風させて除湿部１０４に水分を吸着させる運転である。
【００４２】
除湿モードの運転において、制御部１０２は、加熱部１０３の加熱量を、暖房モードにおける加熱量より抑制する（ステップＳ６１）。制御部１０２は、加熱部１０３への通電を停止して空気を加熱しないように加熱部１０３を制御してもよいし、空気をわずかに加熱するように加熱部１０３を制御してもよい。
【００４３】
ただし、加熱量が過大になると、加熱部１０３によって加熱された空気が除湿部１０４を通過する際に、水分が除湿部１０４に吸着されなくなる。このため、加熱部１０３の加熱量は、加熱部１０３によって加熱された空気の水分を除湿部１０４が吸着することができる範囲内に抑えられる。
【００４４】
次に、制御部１０２は、排気装置２０ｂに浴室２００の空気を排気させる（ステップＳ６２）。これにより、浴室２００側が負圧となり、浴室２００から空間３００への高湿空気の流入が低減する。
【００４５】
ただし、排気装置２０ｂが稼働しても、浴室２００の空気は入浴中に３０℃程度まで上昇しているため、空間３００の室温との密度差によって、浴室２００の空気が扉４０の上方から空間３００に流入する。なお、空間３００の室温は、冬期においては１６℃程度である。
【００４６】
送風部１０ｂは、ステップＳ１（図３参照）から送風を継続しているため、風路１０ｄの吸込口１０ｉからは空気が吸い込まれる。ここで、吸込口１０ｉが扉４０の上方に配置されているため、浴室２００から流出した高湿の空気が効率よく吸込口１０ｉに吸い込まれることとなる。吸込口１０ｉに吸い込まれた空気は、加熱部１０３を通過して除湿部１０４に送られる。そして、除湿部１０４が、高湿空気に含まれる水分を吸着するため、乾燥した空気が吹出口１０ｓから空間３００に吹き出される。
【００４７】
次に、取得部１０１は、センサ５１−５３から情報を取得するとともに、ユーザによって入力された情報を取得する（ステップＳ６３）。
【００４８】
次に、制御部１０２は、浴室２００が使用されていて、かつ、扉４０が開いているか否かを判定する（ステップＳ６４）。具体的には、制御部１０２は、ステップＳ６３にて取得した情報が、扉４０が開放状態にあること及び照明装置２１が点灯していることを示し、湯が最後に使用されてから経過した時間の長さが閾値より短いか否かを判定する。
【００４９】
ステップＳ６４の判定が肯定された場合（ステップＳ６４；Ｙｅｓ）、制御部１０２は、ステップＳ６３以降の処理を繰り返す。これにより、ステップＳ６４の判定が否定されるまで、除湿モードの運転が継続することとなる。
【００５０】
一方、ステップＳ６４の判定が否定された場合（ステップＳ６４；Ｎｏ）、制御部１０２は、浴室２００からの高湿空気が空間３００に流入する状況ではないと判断して、制御部１０２によって実行される処理は、除湿モードの運転から図３に示される処理に戻る。
【００５１】
なお、扉４０が閉じられても、空間３００に濡れた状態の人間が存在し、湿気が発生することが考えられる。このため、ステップＳ６４では、単に扉４０が開いているか否かを判定するのではなく、扉が閉じられてから経過した時間の長さが一定値を超えたか否かを判定してもよい。この一定値は、例えば、３分間、又は５分間である。
【００５２】
また、ユーザが、入浴中のみ扉４０を閉じ、それ以外のときには扉４０を開け放つことも考えられる。このため、ステップＳ６４では、単に扉４０が開いているか否かを判定するのではなく、扉４０が閉じている状態から開いている状態へ変化してから、扉４０が開いたまま経過した時間の長さが一定値を超えたか否かを判定してもよい。
【００５３】
図３に戻り、除湿モードの運転（ステップＳ６）が終了すると、制御部１０２は、脱着モードの運転を実行する（ステップＳ７）。脱着モードの運転は、制御部１０２が、加熱部１０３の加熱量を除湿モードにおける加熱量より大きくして、除湿部１０４から水分を脱着する運転である。
【００５４】
脱着モードの運転において、制御部１０２は、加熱部１０３に通電して空気を加熱させる（ステップＳ７１）。これにより、除湿モードの運転において除湿部１０４に吸着された水分を脱着し、除湿部１０４は、水分の吸着が可能な状態に再生することとなる。また、制御部１０２は、排気装置２０ｂに運転を停止させる（ステップＳ７２）。
【００５５】
送風部１０ｂは、ステップＳ１（図３参照）から送風を継続しているため、加熱部１０３によって加熱された空気は、除湿部１０４を経由して吹出口１０ｓから吹き出される。ここで、除湿モードの運転における除湿が十分でない場合には、低温であるために結露が発生しやすい壁又は窓に一時的に結露が生じると考えられる。しかしながら、除湿モードの後に実行される脱着モードの運転において、加熱部１０３によって加熱された空気は、吹出口１０ｓから壁及び窓に向かって吹き出されて、壁及び窓を速やかに乾燥させる。このため、壁又は窓の湿った状態が継続することを防止して、カビの発生を抑制することができる。
【００５６】
次に、制御部１０２は、脱着モードの運転が開始してから経過した時間が閾値を超えるか否かを判定する（ステップＳ７３）。この閾値は、１０分間である。ステップＳ７３の判定が否定された場合（ステップＳ７３；Ｎｏ）、制御部１０２は、ステップＳ７３の判定が肯定されるまで、ステップＳ７３の判定を繰り返す。これにより、脱着モードの運転が１０分間だけ継続することとなる。
【００５７】
ステップＳ７３の判定が肯定された場合（ステップＳ７３；Ｙｅｓ）、制御部１０２は、加熱部１０３による空気の加熱を停止させ、送風部１０ｂに送風を停止させる（ステップＳ７４）。その後、制御部１０２によって実行される処理は、脱着モードの運転から図３に示される処理に戻る。そして、制御部１０２は、脱着モードの運転が終了すると、一連の処理を終了する。
【００５８】
続いて、暖房需要がない春期又は秋期等の中間期に、除湿装置１００によって実行される一連の処理について、図７を用いて説明する。除湿装置１００は、例えば、現在の日付が冬期に含まれない場合、又は、ユーザによる設定温度の指示がなされない場合に、図３に示される処理に代えて図７に示される処理を実行する。なお、図７では、図３と同等のステップには同一の符号が付されている。
【００５９】
図７に示される処理では、制御部１０２が送風部１０ｂに空気を送風させるステップＳ１（図３参照）が省略される。また、ステップＳ３の判定が否定された場合（ステップＳ３；Ｎｏ）、及びステップＳ４の判定が否定された場合（ステップＳ４；Ｎｏ）、制御部１０２は、暖房モードの運転（図３のステップＳ５参照）を実行することなく、ステップＳ２以降の処理を繰り返す。また、除湿モードの運転が開始すると、制御部１０２は、送風部１０ｂに空気を送風させて（ステップＳ６５）、ステップＳ６２に処理を移行する。
【００６０】
以上、説明したように、除湿装置１００は、除湿機能と暖房機能とを有している。このため、浴室２００に隣接する空間３００で冬期に定常的に発生する暖房需要を満たすとともに、空間３００に発生する結露を抑制することができる。さらに、空間３００において一時的に結露が発生した場合においても、空間３００を速やかに乾燥させて、カビの発生を防止することができる。
【００６１】
ユーザの入浴後には、一時的に大きな除湿負荷が発生する。しかしながら、当該除湿負荷が生じる前に実行される暖房モードの運転では、除湿部１０４から水分が脱着し、除湿負荷が生じたときに実行される除湿モードの運転では、除湿部１０４が水分を吸着する。すなわち、除湿装置１００は、一時的に発生する大きな除湿負荷を、この除湿負荷が生じる前後の暖房モード及び除湿モードの運転で処理することとなるため、時間的に分散して効率的な除湿を実現する。
【００６２】
また、除湿モードの運転では、除湿部１０４に水分を吸着させるため、除湿部１０４から凝縮潜熱が発生し、発生した熱を、暖房需要を満たすために利用することができる。したがって、浴室２００から空間３００に流入した湿気を単に屋外へ排出する場合、又は浴室２００から空間３００への湿気の流入を遮断する場合に比べて、除湿装置１００は、暖房機能の省エネルギー性を向上させることができる。
【００６３】
また、除湿モードの運転で除湿部１０４に吸着した水分は、その後の脱着モードの運転で除湿部１０４から脱着することとなる。このため、除湿装置１００は、浴室２００から流出されていた湿気を利用して、脱着モードの運転の際に空間３００を加湿することとなる。したがって、除湿装置１００は、ユーザの入浴後に一時的に発生する大きな除湿負荷を、除湿モードの運転に加えて脱着モードの運転も利用して処理することとなるため、時間的に分散して除湿負荷を処理することができる。また、一般的に、冬期には空気が乾燥するため、空間３００には加湿需要が生じている。除湿装置１００は、脱着モードの運転により、このような加湿需要を満たすこともできる。
【００６４】
また、除湿部１０４が水分を吸着する除湿モードの運転が実行された後に、除湿部１０４から水分を脱着する脱着モードの運転が実行される。このため、除湿部１０４を構成するデシカント材の水分の吸着と再生とが同時に実行されることがない。したがって、除湿部１０４を構成するデシカント材を回転させたり、風路を切り替えたりする必要がなく、除湿装置１００を簡易に構成することができる。
【００６５】
また、除湿装置１００が除湿負荷を処理する際に凝縮水が生じることがないため、ドレンパン或いはドレン配水管を設置する必要がない。したがって、除湿装置１００の製造コスト及び設置コストを低減することができる。
【００６６】
以上、本発明の実施の形態について説明したが、本発明は上記実施の形態によって限定されるものではない。
【００６７】
例えば、取得部１０１及び制御部１０２は、図１では、風路１０ｄの外部に配置されていたが、風路１０ｄの内部に配置されていてもよい。風路１０ｄの内部に取得部１０１及び制御部１０２が配置される場合には、除湿装置１００を一体的に製造することが容易になる。また、浴室２００及び空間３００を有する建物に予め設置されているコンピュータ、或いはユーザの所持する携帯端末にプログラムＰ１を実行させることにより、取得部１０１及び制御部１０２を構成してもよい。
【００６８】
また、風路１０ｄには、空気の上流側から順に送風部１０ｂ、加熱部１０３、及び除湿部１０４が設けられたが、これには限られない。例えば、送風部１０ｂは最下流側に設けられてもよいし、加熱部１０３は、最上流側に設けられてもよい。加熱部１０３が最上流側に設けられる場合には、除湿モードの運転において送風部１０ｂに結露が発生したときに、その後に実行される脱着モードの運転で送風部１０ｂの結露面を乾燥させることができる。
【００６９】
また、扉４０が開放される場合以外に、空間３００に設置された洗面台で大量の湯が使用された場合にも、除湿負荷が生じると考えられる。そこで、吸込口１０ｉの近傍に湿度センサを設置しておいて、取得部１０１がこの湿度センサの検知結果を取得し、検知された湿度が閾値を超えたときに、制御部１０２が、浴室２００が使用されて扉４０が開けられたと判定してもよい。
【００７０】
また、風路１０ｄは、除湿部１０４を通過する第１の風路と、除湿部１０４を迂回する第２の風路とを有し、制御部１０２は、除湿モード及び脱着モードでは、送風部１０ｂに第１の風路に送風させ、暖房モードでは、送風部１０ｂに第２の風路に送風させてもよい。脱着モードの終了後に除湿部１０４を通過する送風がなされなければ、次に除湿モードの運転が実行されるまで、除湿部１０４が再生された状態を維持することができる。
【００７１】
上記実施の形態に係る除湿装置１００の機能は、専用のハードウェアによっても、また、通常のコンピュータシステムによっても実現することができる。
【００７２】
例えば、制御部１０２の記憶装置に記憶されているプログラムＰ１を、フレキシブルディスク、ＣＤ−ＲＯＭ（Compact Disk Read-Only Memory）、ＤＶＤ（Digital Versatile Disk）等のコンピュータ読み取り可能な記録媒体に格納して配布し、そのプログラムＰ１をコンピュータにインストールすることにより、上述の処理を実行する装置を構成することができる。
【００７３】
また、プログラムＰ１をインターネット等の通信ネットワーク上のサーバ装置が有するディスク装置等に格納しておき、例えば、搬送波に重畳させて、コンピュータにダウンロード等するようにしてもよい。
【００７４】
また、通信ネットワークを介してプログラムＰ１を転送しながら起動実行することによっても、上述の処理を達成することができる。
【００７５】
更に、プログラムＰ１の全部又は一部をサーバ装置上で実行させ、その処理に関する情報をコンピュータが通信ネットワークを介して送受信しながらプログラムＰ１を実行することによっても、上述の処理を達成することができる。
【００７６】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【００７７】
また、除湿装置１００の機能を実現する手段は、ソフトウェアに限られず、その一部又は全部を専用のハードウェア（回路等）によって実現してもよい。
【符号の説明】
【００７８】
１０００  除湿システム、  １００  除湿装置、  １０１  取得部、  １０２  制御部、  １０３  加熱部、  １０４  除湿部、  １０ｂ  送風部、  １０ｄ  風路、  １０ｉ  吸込口、  １０ｓ  吹出口、  ２００  浴室、  ２０ｂ  排気装置、  ２０ｄ  排気ダクト、  ２０ｉ  吸込口、  ２１，２１ａ，２１ｂ  照明装置、  ２２  給湯配管、  ３００  空間、  ３０ｗ  窓、  ４０，４１  扉、  ５１−５３  センサ、  Ｐ１  プログラム。
【図１】
2017219258.tif 000003
【図２】
2017219258.tif 000004
【図３】
2017219258.tif 000005
【図４】
2017219258.tif 000006
【図５】
2017219258.tif 000007
【図６】
2017219258.tif 000008
【図７】
2017219258.tif 000009